(57)【特許請求の範囲】
【請求項１】
筒状のリテーナ内で左右方向に沿って一体に回動可能に支持された複数の垂直フィンと、
前記リテーナにて垂直フィンの前方で上下方向に沿って可動可能に支持された水平フィンと、
前記水平フィンに沿って摺動可能に取り付けられた操作ノブと、
前記操作ノブの後端部に設けられ、前記複数の垂直フィンの内特定の垂直フィンに連結される連結機構とを備え、
前記操作ノブを水平フィンに沿って摺動することに対応して前記連結機構を介して特定の垂直フィンを含む複数の垂直フィンを左右方向に一体に回動させてリテーナの前部から吹出される空気の吹出し方向を左右方向に調整するとともに、操作ノブを上下方向に操作して水平フィンを上下方向に回動させてリテーナの前部から吹出される空気の吹出し方向を上下方向に調整するレジスタにおいて、
前記連結機構は、
前記操作ノブの後端部にて回動可能に取り付けられたスティック部材と、
前記特定の垂直フィンに形成された切欠部にて回動可能に取り付けられるとともにスティック部材の挿入部が形成されたリング部材とを有し、
前記操作ノブを上下方向に操作した際に、前記スティック部材は、前記リング部材の挿入部により規制されつつ前記切欠部内で上下動されることを特徴とするレジスタ。
【請求項２】
前記リング部材の挿入部の外側にはリング部が設けられ、リング部の外形寸法は前記操作ノブの厚さよりも小さく形成されていることを特徴とする請求項１に記載のレジスタ。
【請求項３】
前記リング部材の挿入部は、操作ノブ側から挿入部の中心に向かって傾斜する第１傾斜壁と、第１傾斜壁に連続し挿入部の中心から外側に向かって傾斜する第２傾斜壁と、第１傾斜壁と第２傾斜壁の連続する頂点の内側に形成される挿入孔とから構成されることを特徴とする請求項１又は請求項２に記載のレジスタ。
【請求項４】
前記第２傾斜壁の外縁には係止部が形成されるとともに、前記操作ノブの反対側で前記スティック部材の端部周囲には係止リブが形成され、
前記操作ノブを上方向又は下方向に最大限操作した際、前記スティック部材は前記第１傾斜壁及び第２傾斜壁に当接するとともに、前記係止リブは前記係止部に係止されることを特徴とする請求項３に記載のレジスタ。
【請求項５】
前記挿入孔は円形状に形成されるとともに、挿入孔に挿入される前記スティック部材は水平方向に長軸及び垂直方向に短軸を有する楕円形状に形成され、
前記スティック部材における長軸方向の両端面と前記挿入孔の内側縁との間には第１微小クリアランスが形成され、スティック部材における短軸方向の両端面と挿入孔の内側縁との間には第１微小クリアランスよりも大きな第２微小クリアランスが形成されていることを特徴とする請求項３又は請求項４に記載のレジスタ。
【発明の詳細な説明】
【技術分野】
【０００１】
本発明は、車両のインスツルメントパネルに配置され、空調された空気を車両内に吹出すレジタスに関するものである。
【背景技術】
【０００２】
この種レジスタに関しては従来より各種構造を有するレジスタが提案されており、この種のレジスタでは、一般に、特開２００５−８０５０号公報に記載されているように、筒状のリテーナ内で左右方向に沿って一体に回動可能に支持された複数の縦フィン、リテーナにて縦フィンの前方で上下方向に沿って可動可能に支持された横フィン、横フィンの上下を挟持するとともに横フィンに沿って摺動可能に取り付けられた操作ノブ、及び、操作ノブの後端部に設けられ、縦フィンの内中央の縦フィンに連結されるアームとを備えている。
【０００３】
かかるレジスタでは、操作ノブを横フィンに沿って摺動することに対応してアームを介して中央の縦フィンを含む複数の縦フィンを左右方向に一体に回動させると、リテーナの前部から吹出される空気の吹出し方向は左右方向に調整され、また、操作ノブを上下方向に操作して横フィンを上下方向に回動させると、リテーナの前部から吹出される空気の吹出し方向は上下方向に調整される。
【先行技術文献】
【特許文献】
【０００４】
【特許文献１】特開２００５−８０５０号公報
【発明の概要】
【発明が解決しようとする課題】
【０００５】
しかしながら、前記特許文献１に記載されたレジスタにおいては、操作ノブを上下方向に回動させると、操作ノブの後端部に連結されたアームは、操作ノブの回動量にそのまま対応して上下に回動されることとなる。このとき、アームの回動量は、中央縦フィンに形成された切欠きの範囲内で吸収される。
【０００６】
従って、操作ノブの上下方向への回動に基づくアームの回動量を確実に吸収し、且つ、アームの先端が中央縦フィンにおける切欠きの端縁に当接して衝突音が発生することを抑制するためには、中央縦フィンに形成される切欠きのサイズを必然的に大きくしなければならない。
このように中央縦フィンに形成される切欠きのサイズを大きくすると、元々レジスタ全体のサイズがコンパクトに決定されており、かかるレジスタ内で縦フィンを含む各種の部品をコンパクトに収納する必要がある現状を勘案すれば、中央縦フィンを大きくすることは難しく、中央縦フィンの強度を所定以上に確保できないという問題がある。
【０００７】
本発明は前記従来の問題点を解消するためになされたものであり、操作ノブを上下方向に回動する際に、操作ノブの後端部に取り付けられるとともに垂直フィンに連結される連結機構の上下方向における回動量を簡単な構成により規制することを可能とし、垂直フィンに形成される切欠部のサイズを小さくして垂直フィンの強度を確保しつつ連結機構が切欠部の端縁に当接して発生する衝突音を格段に抑制することが可能なレジスタを提供することを目的とする。
【課題を解決するための手段】
【０００８】
前記目的を達成するため本願の請求項１に係るレジスタは、筒状のリテーナ内で左右方向に沿って一体に回動可能に支持された複数の垂直フィンと、前記リテーナにて垂直フィンの前方で上下方向に沿って可動可能に支持された水平フィンと、前記水平フィンに沿って摺動可能に取り付けられた操作ノブと、前記操作ノブの後端部に設けられ、前記複数の垂直フィンの内特定の垂直フィンに連結される連結機構とを備え、前記操作ノブを水平フィンに沿って摺動することに対応して前記連結機構を介して特定の垂直フィンを含む複数の垂直フィンを左右方向に一体に回動させてリテーナの前部から吹出される空気の吹出し方向を左右方向に調整するとともに、操作ノブを上下方向に操作して水平フィンを上下方向に回動させてリテーナの前部から吹出される空気の吹出し方向を上下方向に調整するレジスタにおいて、前記連結機構は、前記操作ノブの後端部にて回動可能に取り付けられたスティック部材と、前記特定の垂直フィンに形成された切欠部にて回動可能に取り付けられるとともにスティック部材の挿入部が形成されたリング部材とを有し、前記操作ノブを上下方向に操作した際に、前記スティック部材は、前記リング部材の挿入部により規制されつつ前記切欠部内で上下動されることを特徴とする。
【０００９】
請求項２に係るレジスタは、請求項１のレジスタにおいて、前記リング部材の挿入部の外側にはリング部が設けられ、リング部の外形寸法は前記操作ノブの厚さよりも小さく形成されていることを特徴とする。
【００１０】
請求項３に係るレジスタは、請求項１又は請求項２のレジスタにおいて、前記リング部材の挿入部は、操作ノブ側から挿入部の中心に向かって傾斜する第１傾斜壁と、第１傾斜壁に連続し挿入部の中心から外側に向かって傾斜する第２傾斜壁と、第１傾斜壁と第２傾斜壁の連続する頂点の内側に形成される挿入孔とから構成されることを特徴とする。
【００１１】
請求項４に係るレジスタは、請求項３のレジスタにおいて、前記第２傾斜壁の外縁には係止部が形成されるとともに、前記操作ノブの反対側で前記スティック部材の端部周囲には係止リブが形成され、前記操作ノブを上方向又は下方向に最大限操作した際、前記スティック部材は前記第１傾斜壁及び第２傾斜壁に当接するとともに、前記係止リブは前記係止部に係止されることを特徴とする。
【００１２】
請求項５に係るレジスタは、請求項３又は請求項４のレジスタにおいて、前記挿入孔は円形状に形成されるとともに、挿入孔に挿入される前記スティック部材は水平方向に長軸及び垂直方向に短軸を有する楕円形状に形成され、前記スティック部材における長軸方向の両端面と前記挿入孔の内側縁との間には第１微小クリアランスが形成され、スティック部材における短軸方向の両端面と挿入孔の内側縁との間には第１微小クリアランスよりも大きな第２微小クリアランスが形成されていることを特徴とする。
【発明の効果】
【００１３】
請求項１に係るレジスタでは、水平フィンに取り付けられる操作ノブと複数の垂直フィンの内特定の垂直フィンとを連結する連結機構が、操作ノブの後端部にて回動可能に取り付けられたスティック部材と、特定の垂直フィンに形成された切欠部にて回動可能に取り付けられるとともにスティック部材の挿入部が形成されたリング部材とから構成され、操作ノブを上下方向に操作した際に、スティック部材は、リング部材の挿入部により規制されつつ切欠部内で上下動されるので、スティック部材の上下方向における回動量をリング部材の挿入部により効率的に規制することが可能となる。これにより、垂直フィンに形成される切欠部のサイズを小さくして垂直フィンの強度を確保しつつ連結機構が切欠部の端縁に当接して発生する衝突音を格段に抑制することが可能となる。
【００１４】
請求項２に係るレジスタでは、リング部材の挿入部の外側に設けられたリング部の外形寸法は操作ノブの厚さよりも小さく形成されているので、リング部材のリング部は、レジスタの正面側から見た際に操作ノブにより隠れてしまい、これによりレジスタの見栄えが良好となる。
【００１５】
請求項３に係るレジスタでは、リング部材の挿入部は、操作ノブ側から挿入部の中心に向かって傾斜する第１傾斜壁と、第１傾斜壁に連続し挿入部の中心から外側に向かって傾斜する第２傾斜壁と、第１傾斜壁と第２傾斜壁の連続する頂点の内側に形成される挿入孔とから構成されており、挿入部の挿入孔に挿入されたスティック部材の上下方向における回動は、操作ノブ側では第１傾斜壁により、また、特定の垂直フィンの切欠き部側では第２傾斜壁により規制を受けることとなる。これにより、スティック部材の上下方向における回動は、操作ノブを上下方向に操作した際に、挿入孔並びにその周囲の第１傾斜壁及び第２傾斜壁を介して確実に規制され得る。
【００１６】
請求項４に係るレジスタでは、第２傾斜壁の外縁には係止部が形成されるとともに、操作ノブの反対側でスティック部材の端部周囲には係止リブが形成され、操作ノブを上方向又は下方向に最大限操作した際、スティック部材は第１傾斜壁及び第２傾斜壁に当接するとともに、係止リブは係止部に係止されるので、操作ノブを上方向又は下方向に最大限操作した際に、スティック部材が第１傾斜壁及び第２傾斜壁により規制される範囲を超えて回動されることを確実に防止することができる。
【００１７】
請求項５に係るレジスタでは、挿入孔は円形状に形成されるとともに、挿入孔に挿入されるスティック部材は水平方向に長軸及び垂直方向に短軸を有する楕円形状に形成され、スティック部材における長軸方向の両端面と挿入孔の内側縁との間には第１微小クリアランスが形成され、スティック部材における短軸方向の両端面と挿入孔の内側縁との間には第１微小クリアランスよりも大きな第２微小クリアランスが形成されるので、スティック部材が上下方向に回動された際、楕円形状のスティック部材は、第２微小クリアランスを超えて直ちに挿入孔の内側縁に接触されることとなり、かかる接触に基づきスティック部材の上下方向における回動量を少なくしつつスティック部材の回動をスムーズに行うことができる。
【図面の簡単な説明】
【００１８】
【図１】本発明を具体化した実施形態に係るレジスタの正面図である。
【図２】レジスタの背面図である。
【図３】レジスタの斜視図である。
【図４】レジスタの背面斜視図である。
【図５】レジスタにおける水平フィン、操作ノブ及び中央垂直フィンを取り出して示す斜視図である。
【図６】レジスタのおける水平フィン、操作ノブ及び中央垂直フィンを取り出して示す背面斜視図である。
【図７】中央垂直フィンを示すものであり、（Ａ）は中央垂直フィンの正面図、（Ｂ）は紙面から遠ざかる方向へ回動された中央垂直フィンの斜視図、（Ｃ）は紙面から手前側に回動された中央垂直フィンの斜視図である。
【図８】リング部材を示すものであり、（Ａ）はリング部材の正面図、（Ｂ）は一方向に回動された状態を示すリング部材の斜視図、（Ｃ）は一方向と反対方向に回動された状態を示すリング部材の斜視図、（Ｄ）はリング部材の模式断面図である。
【図９】中央垂直フィンとリング部材とを組み立てる組み立て手順を示す説明図である。
【図１０】中央垂直フィンの切欠部にリング部材を取り付けたフィン構造体を示すものであり、（Ａ）はフィン構造体の正面図、（Ｂ）はフィン構造体の斜視図、（Ｃ）はリング部材を回動させた状態のフィン構造体の斜視図である。
【図１１】スティック部材を示すものであり、（Ａ）はスティック部材の平面図、（Ｂ）及び（Ｃ）はスティック部材の斜視図、（Ｄ）はフィン構造体の模式断面図、（Ｅ）は挿入孔と連結軸部との間に形成される微小クリアランスを拡大して示す説明図である。
【図１２】操作ノブにスティック部材を取り付けたノブ構造体を示すものであり、（Ａ）はノブ構造体の正面斜視図、（Ｂ）はノブ構造体の背面斜視図。（Ｃ）はノブ構造体の模式断面図である。
【図１３】操作ノブを上下いずれの方向へも回動せず水平に保持した状態を示すレジスタの模式断面図である。
【図１４】操作ノブを下方向へ回動した状態を示すレジスタの模式断面図である。
【図１５】操作ノブを上方向へ回動した状態を示すレジスタの模式断面図である。
【発明を実施するための形態】
【００１９】
以下、本発明を具体化した実施形態に基づき、本発明に係るレジスタについて図面を参照しつつ説明する。
先ず、本実施形態に係るレジスタの基本構成について、図１乃至図４に基づき説明する。
図１乃至図４に示すように、レジスタ１は、通風路２（図４参照）を有する筒状のリテーナ３、及び、リテーナ３の前方側に設けられる空気吹出口４側端部に配置されるベゼル５を有する。
【００２０】
リテーナ３内には、左右方向に沿って一体に回動可能に支持された複数の垂直フィン６が配設されている。各垂直フィン６は、中央垂直フィン６Ａを左右方向に回動させることにより、図示しないリンク機構を介して一体に左右方向に回動される。中央垂直フィン６Ａを回動させる機構については後述する。尚、各垂直フィン６を一体に回動させるリンク機構は公知であり、その説明を省略する。
【００２１】
また、リテーナ３において、各垂直フィン６の前方位置でリテーナ３の空気吹出口４の近傍における一対の側壁７、７（図３参照、一方のみを示す）には、２つの水平フィン８が上下方向に沿って一体に回動可能に支持されている。各水平フィン８を一体に回動させるリンク機構は公知であり、その説明を省略する。
２つの水平フィン８の内、上側の水平フィン８には、その長手方向に沿って操作ノブ９が摺動可能に取り付けられている。操作ノブ９は、水平フィン８の上下両側を挟持するとともに、所定範囲で水平フィン８に沿って摺動可能に構成されている。また、操作ノブ９は、後述する連結機構１４を介して中央垂直フィン６Ａに連結されている。
【００２２】
前記構成に基づき、操作ノブ９を水平フィン８に沿って摺動することに対応して、連結機構により中央垂直フィン６Ａを含む複数の垂直フィンは左右方向に一体に回動され、リテーナ３前部の空気吹出口４から吹出される空気の吹出し方向は左右方向に調整される。また、操作ノブ９を上下方向に操作することに対応して、各水平フィン８は上下方向に一体に回動され、リテーナ３前部の空気吹出口４から吹出される空気の吹出し方向は上下方向に調整される。
【００２３】
ベゼル５の側部（図１、図３中右側部）にはノブ開口１０が形成されており、かかるノブ開口１０には、リテーナ３の側壁（図１、図３中右側壁）に回動可能に支持された回転ノブ１１の一部が露出されている。回転ノブ１１には、リテーナ３の側壁に配設されたリンク機構１２が付設されており、また、リンク機構１２はリテーナ３内で各垂直フィン６の後方側に配置されたダンパプレート１３に連結されている。ノブ開口１０に露出された回転ノブ１１を上下方向に回転させると、リンク機構１２を介してダンパプレート１３が上下方向に回動される。これにより、必要に応じてダンパプレート１３により通風路２の開閉を行うことができる。
【００２４】
続いて、操作ノブ９と中央垂直フィン６Ａとを連結する連結機構について、図５乃至図１２に基づき説明する。
図５及び図６において、水平フィン８に摺動可能に取り付けられた操作ノブ９の後端部と中央垂直フィン６Ａとの間には、連結機構１４が介装されており、かかる連結機構１４を介して操作のノブ９と中央垂直フィン６Ａとは相互に連結される。
【００２５】
中央垂直フィン６Ａには、図７に示すように、その高さ方向の中央部にフィン本体６Ｂの側端縁６Ｃから内方に向かって凹状に切欠部１５が形成されている。側端縁６Ｃ側で、切欠部１５の上壁からは上支持軸１６が下方に向かって延出されるとともに、切欠部１５の下壁からは下支持軸１７が上方に向かって延出されている。ここに、上支持軸１６及び下支持軸１７は、図７（Ｂ）、（Ｃ）に示すように、それぞれ両側に面取り部１６Ａ、面取り部１７Ａを有する円柱状に形成されている。上支持軸１６と下支持軸１７との間には、後述するリング部材１８が回動可能に支持される。
【００２６】
リング部材１８は、図８に示すように、基本的に円形の外形形状を有するリング部１９、及び、リング部１９の内側に設けられる挿入部２０を有している。また、リング部１９の上端縁には、一側が開放されて開放部２１Ａが形成された円筒状の上受部２１、及び、リング部１９の下端縁には、上受部２１と同一側が開放されて開放部２２Ａが形成された円筒状の下受部２２が設けられている。上受部２１には前記中央垂直フィン６Ａにおける切欠部１５の上壁に形成された上支持軸１６が挿入されるとともに、下受部２２には前記切欠部１５の下壁に形成された下支持軸１７が挿入される。これにより、リング部材１８は、上支持軸１６、下支持軸１７の回りに回動可能に支持される。
【００２７】
リング部材１８の挿入部２０において、後述するように、上受部２１の開放部２１Ａ及び下受部２２の開放部２２Ａが形成された側と反対側（図８（Ａ）、（Ｂ）で示す側）が操作ノブ９の後端部と対向する側となり、また、開放部２１Ａ及び開放部２２Ａが形成された側（図８（Ｃ）に示す側）が操作ノブ９の後端部に対向する側の反対面となる。
【００２８】
挿入部２０には、図８（Ｄ）に示すように、操作ノブ９の後端部に対向する側（図８（Ｄ）中右側）には、操作ノブ９側から挿入部２０の中心に向かって傾斜する第１傾斜壁２３が形成されており、また、第１傾斜壁２３に連続し挿入部２０の中心から外側に向かって傾斜する第２傾斜壁２４が形成されている。第２傾斜壁２４の外縁には係止部２６が形成されている。そして、第１傾斜壁２３と第２傾斜壁２４の連続する頂点の内側で挿入部２０の中心部には、挿入孔２５が形成されている。挿入孔２５は、真円形状に形成されている。
ここに、スティック部材２８の連結軸部３０の上下回動量は、第１傾斜壁２３と第２傾斜壁２４とがなす角度によって規制されるが、第１傾斜壁２３と第２傾斜壁２４とがなす角度は、必要に応じて適宜自在に設定することができる。これにより連結軸部３０の上下回動量も適宜自在に設定することが可能となる。
【００２９】
続いて、中央垂直フィン６Ａとリング部材１８とを組み立てる手順について図９に基づき説明する。先ず、図９（Ａ）に示すように、中央垂直フィン６Ａの上支持軸１６及び下支持軸１７が、それぞれリング部材１８のリング部１９に形成された上受部２１の開放部２１Ａ及び下受部２２の開放部２２Ａとを対向配置する。このとき、各上支持軸１６における両側面取り部１６Ａ間の幅は、上受部２１の開放部２１Ａの開放幅と略同一にされており、また、下支持軸１７における両側面取り部１７Ａ間の幅は、下受部２２の開放部２２Ａの開放幅と略同一にされている。
【００３０】
この後、リング部材１８を矢印Ａ方向に移動し、開放部２１Ａを介して上受部２１に上支持軸１６を挿嵌するとともに、開放部２２Ａを介して下受部２２に下支持軸１７を挿嵌する。この状態が図９（Ｂ）に示されている。更に、図９（Ｃ）に示すように、リング部材１８を時計方向又は反時計方向に９０度回動する。これにより、図１０に示すように、中央垂直フィン６Ａにリング部材１８を取り付けてなるフィン構造体２７が組み立てられる。
【００３１】
次に、前記リング部材１８と協働して、操作ノブ９の後端部と中央垂直フィン６Ａとの連結機構１４を構成するスティック部材について図１１に基づき説明する。
図１１において、スティック部材２８はＴ字状に形成されており、円柱状の回動軸部２９及び回動軸部２９の略中央から直角に延出された連結軸部３０を具有している。回動軸部２９の両端部２９Ａ、２９Ａは、後述する操作ノブ９の後端部の２箇所に形成された回動支持部３２に回動可能に支持される。連結軸部３０は、断面視で楕円形状に形成されており、その先端部には、後述するように、操作ノブ９を上方向又は下方向に最大限操作した際に、前記第２傾斜壁２４の外縁に形成された係止部２６に係止される係止リブ３１が上下２箇所に形成されている。
【００３２】
具体的に、連結軸部３０は、図１１（Ｄ）に示すように、水平方向に長軸及び垂直方向に短軸を有する楕円形状に形成されている。連結軸部３０をリング部材１８の挿入孔２５に挿入した際、連結軸部３０における長軸方向の両端面と挿入孔２５の内側縁との間には第１微小クリアランスＣ１が形成され、また、連結軸部３０における短軸方向の両端面と挿入孔２５の内側縁との間には第１微小クリアランスＣ１よりも大きな第２微小クリアランスＣ２が形成される。
【００３３】
そして、操作ノブ９の後端部の両側には、図１２に示すように、２つの回動支持部３２が形成されており、各回動支持部３２の内側には支持孔３３が形成されている。
【００３４】
前記のように構成されたスティック部材２８を操作ノブ９に回動可能に取り付けるには、先ず、操作ノブ９を構成する２つのノブ部材９Ａ、９Ｂを分割離間させ、下側のノブ部材９Ｂに形成されたフィン挿通溝９Ｃに水平フィン８を遊嵌するとともに、ノブ部材９Ｂにて回動支持部３２の一部を構成する２つの受部にスティック部材２８における回動軸部２９の両端部２９Ａ、２９Ａを位置決めする。更に、水平フィン８を挟持しつつ上側のノブ部材９Ａのフィン挿通溝９Ｄをノブ部材９Ｂのフィン挿通溝９Ｃに合致させ、また、ノブ部材９Ａにて回動支持部３２の一部を構成する２つの被覆部をノブ部材９Ｂの各受部に合致させた後、ノブ部材９Ａとノブ部材９Ｂとを弾性的に係合する。これにより、図１２に示すように、スティック部材２８を操作ノブ９に回動可能に支持することができる。
【００３５】
次に、前記のように構成されたレジスタ１にて、操作ノブ９を水平状態から上下方向に操作した場合の動作について図１３乃至図１５に基づき説明する。
操作ノブ９を操作しておらず、操作ノブ９が水平状態に保持されている状態が図１３に示されている。かかる状態では、スティック部材２８の連結軸部３０はリング部材１８の挿入孔２５の略中央位置に保持され、挿入孔２５の内周縁に接触していない。
【００３６】
図１３に示す状態から操作ノブ９を下方向に操作していくと、操作ノブ９の後端部は上方に移動していき、これに伴いスティック部材２８における回動軸部２９の両端部２９Ａは操作ノブ９の回動支持部３２で回動するとともに、連結軸部３０は挿入孔２５内で挿入孔２５による規制を受けながら下方向に移動していく。そして、操作ノブ９を最大限下方向に回動操作すると、図１４に示す状態に至る。図１４に示す状態では、連結軸部３０の中央部はリング部材１８の挿入部２０における第１傾斜壁２３の上部に当接し、同時に、連結軸部３０の端部は第２傾斜壁２４の下部に当接する。また、この状態で、連結軸部３０の端部に形成された下側の係止リブ３１は、第２傾斜壁２４の外縁下側に形成された係止部２６に係止されている。
【００３７】
また、図１３に示す状態から操作ノブ９を上方向に操作していくと、操作ノブ９の後端部は下方に移動していき、これに伴いスティック部材２８における回動軸部２９の両端部２９Ａは操作ノブ９の回動支持部３２で回動するとともに、連結軸部３０は挿入孔２５内で挿入孔２５による規制を受けながら上方向に移動していく。そして、操作ノブ９を最大限上方向に回動操作すると、図１５に示す状態に至る。図１５に示す状態では、連結軸部３０の端部はリング部材１８の挿入部２０における第２傾斜壁２４の上部に当接し、同時に、連結軸部３０の中央部は第１傾斜壁２３の下部に当接する。また、この状態で、連結軸部３０の端部に形成された上側の係止リブ３１は、第２傾斜壁２４の外縁上側に形成された係止部２６に係止されている。
【００３８】
以上説明したように、本実施形態に係るレジスタ１では、水平フィン８に取り付けられる操作ノブ９と複数の垂直フィン６の内中央垂直フィン６Ａとを連結する連結機構１４が、操作ノブ９の後端部にて回動可能に取り付けられたスティック部材２８と、中央垂直フィン６Ａに形成された切欠部１５にて回動可能に取り付けられるとともにスティック部材２８の連結軸部３０を挿入する挿入部２０が形成されたリング部材１８とから構成され、操作ノブ９を上下方向に操作した際に、スティック部材２８の連結軸部３０は、リング部材１８の挿入部２０により規制されつつ切欠部１５内で上下動されるので、スティック部材２８における連結軸部３０の上下方向における回動量をリング部材１８の挿入部２０により効率的に規制することが可能となる。これにより、中央垂直フィン６Ａに形成される切欠部１５のサイズを小さくして中央垂直フィン６Ａの強度を確保しつつ連結機構１４を構成するスティック部材２８の連結軸部３０が切欠部１５の端縁に当接して発生する衝突音を格段に抑制することが可能となる。
【００３９】
また、レジスタ１では、リング部材１８の挿入部２０の外側に設けられたリング部１９の外形寸法は操作ノブ９の厚さよりも小さく形成されているので、図１に示すように、リング部材１８のリング部１９は、レジスタ１の正面側から見た際に操作ノブ９により隠れてしまい、これによりレジスタ１の見栄えが良好となる。
【００４０】
更に、リング部材１８の挿入部２０は、操作ノブ９側から挿入部２０の中心に向かって傾斜する第１傾斜壁２３と、第１傾斜壁２３に連続し挿入部２０の中心から外側に向かって傾斜する第２傾斜壁２４と、第１傾斜壁２３と第２傾斜壁２４の連続する頂点の内側に形成される挿入孔２５とから構成されており、挿入部２０の挿入孔２５に挿入されたスティック部材２８の連結軸部３０の上下方向における回動は、操作ノブ９側では第１傾斜壁２３により、また、中央垂直フィン６Ａの切欠部１５側では第２傾斜壁２４により規制を受けることとなる。これにより、スティック部材２８の連結軸部３０の上下方向における回動は、操作ノブ９を上下方向に操作した際に、挿入孔２５並びにその周囲の第１傾斜壁２３及び第２傾斜壁２４を介して確実に規制され得る。
【００４１】
また、第２傾斜壁２４の外縁には係止部２６が形成されるとともに、操作ノブ９の反対側でスティック部材２８における連結軸部３０の端部には係止リブ３１が形成され、操作ノブ９を上方向又は下方向に最大限操作した際、スティック部材２８の連結軸部３０は第１傾斜壁２３及び第２傾斜壁２４に当接するとともに、係止リブ３１は係止部２６に係止されるので、操作ノブ９を上方向又は下方向に最大限操作した際に、スティック部材２８の連結軸部３０が第１傾斜壁２３及び第２傾斜壁２４により規制される範囲を超えて回動されることを確実に防止することができる。
【００４２】
更に、挿入孔２５は真円形状に形成されるとともに、挿入孔２５に挿入されるスティック部材２８の連結軸部３０は水平方向に長軸及び垂直方向に短軸を有する楕円形状に形成され、連結軸部３０における長軸方向の両端面と挿入孔２５の内側縁との間には第１微小クリアランスＣ１が形成され、連結軸部３０における短軸方向の両端面と挿入孔２５の内側縁との間には第１微小クリアランスＣ１よりも大きな第２微小クリアランスＣ２が形成されるので、スティック部材２８が上下方向に回動された際、楕円形状の連結軸部３０は、第２微小クリアランスＣ２を超えて直ちに挿入孔２５の内側縁に接触されることとなり、かかる接触に基づきスティック部材２８における連結軸部３０の上下方向における回動量を少なくしつつスティック部材２８の回動をスムーズに行うことができる。
【００４３】
尚、操作ノブ９を水平フィン８に沿って摺動させた際、リング部材１８の挿入孔２５に挿通されているスティック部材２８の連結軸部３０は、第１微小クリアランスＣ１超えて直ちに挿入孔２５の左右内側縁に接触されることとなり、かかる接触に基づきスティック部材２８における連結軸部３０は、中央垂直フィン６Ａの切欠部１５内で左右方向に移動される。これにより、中央垂直フィン６Ａを含む各垂直フィン６は一体に左右方向に回動される。
【００４４】
本発明は前記実施形態に限定されるものではなく、本発明の要旨を逸脱しない範囲内で種々の改良、変形が可能であることは勿論である。
【符号の説明】
【００４５】
１        レジスタ
３        リテーナ
６        垂直フィン
６Ａ      中央垂直フィン
８        水平フィン
９        操作ノブ
１４      連結機構
１５      切欠部
１８      リング部材
１９      リング部
２０      挿入部
２３      第１傾斜壁
２４      第２傾斜壁
２５      挿入孔
２６      係止部
２８      スティック部材
３１      係止リブ
Ｃ１      第１微小クリアランス
Ｃ２      第２微小クリアランス
【図１】
0006462304.tif 000002
【図２】
0006462304.tif 000003
【図３】
0006462304.tif 000004
【図４】
0006462304.tif 000005
【図５】
0006462304.tif 000006
【図６】
0006462304.tif 000007
【図７】
0006462304.tif 000008
【図８】
0006462304.tif 000009
【図９】
0006462304.tif 000010
【図１０】
0006462304.tif 000011
【図１１】
0006462304.tif 000012
【図１２】
0006462304.tif 000013
【図１３】
0006462304.tif 000014
【図１４】
0006462304.tif 000015
【図１５】
0006462304.tif 000016